【手続補正書】
【提出日】平成16年8月24日(2004.8.24)
【手続補正１】
【補正対象書類名】明細書
【補正対象項目名】特許請求の範囲
【補正方法】変更
【補正の内容】
【特許請求の範囲】
【請求項１】
第１のホストコンピュータと第１の記憶装置により構成される第１の情報処理システムと、第２のホストコンピュータと第２の記憶装置により構成される少なくとも一つの第２の情報処理システムとをデータ転送パスを介して接続し、前記第１の情報処理システムで発生した第１の更新データを前記第２の情報処理システムにコピーすることで前記第１および第２の情報処理システムで同一のデータを多重に保持するデータ多重化方法であって、前記第１の情報処理システムの稼働停止時に前記第１の情報処理システムの処理を引き継いで実行する前記第２の情報処理システムで発生する第２の更新データを識別する差分管理情報を前記第２の情報処理システムに持たせ、前記第１の情報処理システムの稼働再開後に、前記差分管理情報に基づいて、前記第２の更新データを選択的に前記第１の情報処理システムにコピーすることを特徴とするデータ多重化方法。
【請求項２】
第１のホストコンピュータと第１の記憶装置により構成される第１の情報処理システムと、第２のホストコンピュータと第２の記憶装置により構成される少なくとも一つの第２の情報処理システムをデータ転送パスを介して接続し、前記第１の情報処理システムで発生した第１の更新データを前記第２の情報処理システムに非同期にコピーするとともに、前記第２の情報処理システムに未コピーの前記第１の更新データを識別する第１の差分管理情報を前記第１の情報処理システムにて持つことで前記第１および第２の情報処理システムで同一のデータを多重に保持するデータ多重化方法であって、前記第１の情報処理システムの稼働停止時に前記第１の情報処理システムの処理を引き継いで実行する前記第２の情報処理システムで発生する第２の更新データを識別する第２の差分管理情報を前記第２の情報処理システムに持たせ、前記第１の情報処理システムの稼働再開後に、前記第１および第２の差分管理情報にて特定される範囲のデータを選択的に前記第１の情報処理システムにコピーすることを特徴とするデータ多重化方法。
【請求項３】
第１のホストコンピュータと第１の記憶装置により構成される第１の情報処理システムと、第２のホストコンピュータと第２の記憶装置により構成される少なくとも一つの第２の情報処理システムをデータ転送パスを介して接続し、前記第１の情報処理システムで発生した第１の更新データを前記第２の情報処理システムに非同期にコピーするとともに、前記第２の情報処理システムに未コピーの前記第１の更新データを識別する第１の差分管理情報を前記第１の情報処理システムにて持つことで前記第１および第２の情報処理システムで同一のデータを多重に保持するデータ多重化方法であって、前記第１の情報処理システムの稼働停止時に前記第１の情報処理システムの処理を引き継いで実行する前記第２の情報処理システムで発生する第２の更新データを識別する第２の差分管理情報を前記第２の情報処理システムに持たせ、前記第１の情報処理システムの稼働再開後に、前記第２の差分管理情報に基づいて、前記第２の更新データを選択的に前記第１の情報処理システムにコピーすることを特徴とするデータ多重化方法。
【請求項４】
第１のホストコンピュータと第１の記憶装置により構成される第１の情報処理システムと、第２のホストコンピュータと第２の記憶装置により構成される少なくとも一つの第２の情報処理システムをデータ転送パスを介して接続し、前記第１の情報処理システムで発生した第１の更新データを前記第２の情報処理システムに同期してコピーすることで前記第１および第２の情報処理システムで常に同一のデータを多重に保持するデータ多重化方法であって、前記第１の情報処理システムの稼働停止時に前記第１の情報処理システムの処理を引き継いで実行する前記第２の情報処理システムで発生する第２の更新データを識別する第２の差分管理情報を前記第２の情報処理システムに持たせ、前記第１の情報処理システムの稼働再開後に、前記第２の差分管理情報に基づいて、前記第２の更新データを選択的に前記第１の情報処理システムにコピーすることを特徴とするデータ多重化方法。
【請求項５】
請求項１，２，３または４記載のデータ多重化方法において、前記差分管理情報または前記第１および第２の差分管理情報は、前記第１および第２の記憶装置の各々における複数のデータ格納単位の各々における前記第１および第２の更新データのデータ多重化の完了の有無を示すビットマップであることを特徴とするデータ多重化方法。
【請求項６】
第１のホストコンピュータと第１の記憶装置により構成される第１の情報処理システムと、第２のホストコンピュータと第２の記憶装置により構成される少なくとも一つの第２の情報処理システムと、前記第１の情報処理システムと前記第２の情報処理システムとの間におけるデータ転送が行われるデータ転送パスとを含み、前記第１の情報処理システムにて発生した第１の更新データを、前記データ転送パスを経由して前記第２の情報処理システムへコピーすることで、前記第１の情報処理システムと前記第２の情報処理システムで同一のデータを多重に保持するデータ多重化システムであって、前記第２の情報処理システムは、前記第１の情報処理システムが動作不能になった時に、前記第１の情報処理システムの処理を引き継いで実行する間に当該第２の情報処理システムで発生した第２の更新データを識別する差分管理情報と、前記第１の情報処理システムが動作可能になった時に、前記差分管理情報に基づいて前記第２の情報処理システムの前記第２の更新データを前記第１の情報処理システムに選択的にコピーする機能と、を備えたことを特徴とするデータ多重化システム。
【請求項７】
第１のホストコンピュータと第１の記憶装置により構成される第１の情報処理システムと、第２のホストコンピュータと第２の記憶装置により構成される少なくとも一つの第２の情報処理システムと、前記第１の情報処理システムと前記第２の情報処理システムとの間におけるデータ転送が行われるデータ転送パスとを含み、前記第１の情報処理システムにて発生した第１の更新データを、前記データ転送パスを経由して前記第２の情報処理システムへ非同期にコピーすることで、前記第１の情報処理システムと前記第２の情報処理システムで同一のデータを多重に保持するデータ多重化システムであって、前記第１の情報処理システムは、前記第２の情報処理システムに未コピーの前記第１の更新データを識別する第１の差分管理情報を備え、前記第２の情報処理システムは、前記第１の情報処理システムが動作不能になった時に、前記第１の情報処理システムの処理を引き継いで実行する間に当該第２の情報処理システムで発生した第２の更新データを識別する第２の差分管理情報と、前記第１の情報処理システムが動作可能になった時に、前記第１の差分管理情報および前記第２の差分管理情報にて特定される範囲のデータを前記第１の情報処理システムに選択的にコピーする機能と、を備えたことを特徴とするデータ多重化システム。
【請求項８】
第１のホストコンピュータと第１の記憶装置により構成される第１の情報処理システムと、第２のホストコンピュータと第２の記憶装置により構成される少なくとも一つの第２の情報処理システムと、前記第１の情報処理システムと前記第２の情報処理システムとの間におけるデータ転送が行われるデータ転送パスとを含み、前記第１の情報処理システムにて発生した第１の更新データを、前記データ転送パスを経由して第２の情報処理システムへ非同期にコピーすることで、前記第１の情報処理システムと前記第２の情報処理システムで同一のデータを多重に保持するデータ多重化システムであって、前記第１の情報処理システムは、前記第２の情報処理システムに未コピーの前記第１の更新データを識別する第１の差分管理情報を備え、前記第２の情報処理システムは、前記第１の情報処理システムが動作不能になった時に、前記第１の情報処理システムの処理を引き継いで実行する間に当該第２の情報処理システムで発生した第２の更新データを識別する第２の差分管理情報と、前記第１の情報処理システムが動作可能になった時に、前記第２の差分管理情報に基づいて前記第２の情報処理システムの前記第２の更新データを前記第１の情報処理システムに選択的にコピーする機能と、を備えたことを特徴とするデータ多重化システム。
【請求項９】
第１のホストコンピュータと第１の記憶装置により構成される第１の情報処理システムと、第２のホストコンピュータと第２の記憶装置により構成される少なくとも一つの第２の情報処理システムと、前記第１の情報処理システムと前記第２の情報処理システムとの間におけるデータ転送が行われるデータ転送パスとを含み、前記第１の情報処理システムにて発生した第１の更新データを、前記データ転送パスを経由して第２の情報処理システムへ同期してコピーすることで、前記第１の情報処理システムと前記第２の情報処理システムで同一のデータを多重に保持するデータ多重化システムであって、前記第２の情報処理システムは、前記第１の情報処理システムが動作不能になった時に、前記第１の情報処理システムの処理を引き継いで実行する間に当該第２の情報処理システムで発生した第２の更新データを識別する第２の差分管理情報と、前記第１の情報処理システムが動作可能になった時に、前記第２の差分管理情報にて特定される範囲のデータを前記第１の情報処理システムに選択的にコピーする機能と、を備えたことを特徴とするデータ多重化システム。
【請求項１０】
請求項６，７，８または９記載のデータ多重化システムにおいて、前記差分管理情報または前記第１および第２の差分管理情報は、前記第１および第２の記憶装置の各々における複数のデータ格納単位の各々における前記第１および第２の更新データのデータ多重化の完了の有無を示すビットマップであることを特徴とするデータ多重化システム。
【請求項１１】
第１のホストコンピュータと第１の記憶装置により構成される第１のシステムと、第２のホストコンピュータと第２の記憶装置により構成される複数の第２のシステムと、第１のシステムと第２のシステムの間のデータ転送を行うデータ転送パスとから成り、前記第１のシステムに対する更新データを、前記第２のシステムへと非同期あるいは同期してコピーしデータの多重化を行い、前記第１のシステムが動作不能となった時に、前記第２のシステムが処理を継続できるデータ多重化システムであって、前記第１のシステムは、必要に応じて、前記第１のシステムに対する更新データを、前記第２のシステムへコピーする際に生じる差分を第１の差分情報として管理する機能を有しており、前記第２のシステムは、前記第１のシステムが動作不能状態となってから回復に至るまでに発生する、前記第２のシステムに対する更新データを、第２の差分データとして管理し、前記第１のシステムが動作可能となった時に、前記第１の差分情報と前記第２の差分情報の範囲あるいは、前記第２の差分情報の範囲のみを、非同期に前記第１のシステムへコピーする機能を有することを特徴とするデータ多重化システム。
【手続補正２】
【補正対象書類名】明細書
【補正対象項目名】００１９
【補正方法】変更
【補正の内容】
【００１９】
より具体的には、一例として、ホストコンピュータと記憶装置により構成される第１のシステムと、ホストコンピュータと記憶装置により構成される複数の第２のシステムと、第１のシステムと第２のシステムの間のデータ転送を行うデータ転送パスから成り、第１のシステムに対する更新データを、第２のシステムへと非同期あるいは同期してコピーしデータの多重化を行い、第１のシステムが動作不能となった時に、第２のシステムが処理を継続できるデータ多重化システムにおいて、第１のシステムは、必要に応じて、第１のシステムに対する更新データを、第２のシステムへコピーする際に生じる差分を第１の差分情報として管理する機能を有しており、第２のシステムは、第１のシステムが動作不能状態となってから回復に至るまでに発生する、第２のシステムに対する更新データを、第２の差分データとして管理し、第１のシステムが動作可能となった時に、前記第１の差分情報と前記第２の差分情報の範囲あるいは、前記第２の差分情報の範囲のみを、非同期に第１のシステムへとコピーする機能を有する。